(57)【要約】 【課題】筐体の内部に投入された貨幣のうち設定された所定の金種ならびにその金種毎の枚数の貨幣または所定の合計金額の貨幣を準備貨幣として筐体の外部に戻すことができる貨幣処理機を提供する。【解決手段】貨幣処理機１０の制御部１５において、返却すべき貨幣である準備貨幣の所定の金種ならびにその金種毎の枚数または合計金額が設定されている。識別部２６、３５ａにより識別された貨幣の金種が返却すべき準備貨幣の設定された所定の金種である場合には、当該貨幣の金種に関して返却すべき準備貨幣の設定された枚数に達していない貨幣を一時保留部２９、３７に送り、あるいは、返却すべき準備貨幣の設定された合計金額から一時保留部２９、３７にある貨幣の合計金額を減算した金額よりも、識別された貨幣の金額が小さいか同じであるときにこの貨幣を一時保留部２９、３７に送る。【選択図】図１
2010224805.tif 000002
【特許請求の範囲】
【請求項１】
貨幣の処理を行う貨幣処理機であって、
筐体と、
前記筐体内へ貨幣を投入するための貨幣投入口と、
前記筐体内に設けられ、前記貨幣投入口より投入された貨幣の搬送を行う搬送部と、
前記搬送部に設置され、前記貨幣投入口より投入され前記搬送部で搬送される貨幣の識別を行う識別部と、
前記筐体内に設けられ、前記識別部により識別された貨幣を一時的に保留するとともに前記筐体の外部に戻すことが可能な一時保留部と、
前記搬送部に接続され、当該搬送部から送られた貨幣を前記筐体の外部に戻す貨幣返却部と、
前記搬送部および前記一時保留部の制御を行う制御部であって、返却すべき貨幣である準備貨幣の所定の金種およびその金種毎の枚数が設定されており、当該制御部は、前記貨幣投入口より前記筐体の内部に投入され前記識別部により識別された貨幣の金種が返却すべき準備貨幣の設定された所定の金種である場合には、当該貨幣の金種に関して前記返却すべき準備貨幣の設定された枚数に達していない貨幣を前記一時保留部に搬送するとともに前記返却すべき準備貨幣の設定された枚数に達している貨幣を前記貨幣返却部に送り、一方、前記識別された貨幣の金種が返却すべき準備貨幣の設定された所定の金種でない場合には当該貨幣を前記貨幣返却部に送り、その後、前記一時保留部に送られてこの一時保留部で一時的に保留された貨幣を準備貨幣として筐体の外部に返却するよう制御を行うことを特徴とする貨幣処理機。
【請求項２】
前記制御部は、前記一時保留部に送られた貨幣の金種毎の枚数が、当該制御部において設定されている返却すべき準備貨幣の所定の金種毎の枚数にそれぞれ達した後、前記貨幣投入口に投入された貨幣の搬送を行うよう制御を行うことを特徴とする請求項１記載の貨幣処理機。
【請求項３】
前記制御部は、前記一時保留部に送られた貨幣の金種毎の枚数が、当該制御部において設定されている返却すべき準備貨幣の所定の金種毎の枚数にそれぞれ達したときに、前記搬送部による貨幣の搬送を停止させるよう制御を行うことを特徴とする請求項１または２記載の貨幣処理機。
【請求項４】
前記貨幣処理機における貨幣の処理状況を表示するための表示部を更に備え、
前記制御部は、前記貨幣投入口より投入された全ての貨幣の識別後、前記一時保留部に送られた貨幣の金種のうち少なくともいずれか一つの金種の枚数が、当該制御部において設定されている返却すべき準備貨幣の所定の金種毎の枚数に達しなかったときに、前記表示部に、前記返却すべき準備貨幣の設定された枚数に達しなかった貨幣の金種、ならびにその枚数または不足枚数を表示させるよう制御を行うことを特徴とする請求項１乃至３のいずれか一項に記載の貨幣処理機。
【請求項５】
貨幣の処理を行う貨幣処理機であって、
筐体と、
前記筐体内へ貨幣を投入するための貨幣投入口と、
前記筐体内に設けられ、前記貨幣投入口より投入された貨幣の搬送を行う搬送部と、
前記搬送部に設置され、前記貨幣投入口より投入され前記搬送部で搬送される貨幣の識別を行う識別部と、
前記筐体内に設けられ、前記識別部により識別された貨幣を一時的に保留するとともに前記筐体の外部に戻すことが可能な一時保留部と、
前記搬送部に接続され、当該搬送部から送られた貨幣を前記筐体の外部に戻す貨幣返却部と、
前記搬送部および前記一時保留部の制御を行う制御部であって、返却すべき貨幣である準備貨幣の所定の金種および合計金額が設定されており、当該制御部は、前記貨幣投入口より前記筐体の内部に投入され前記識別部により識別された貨幣の金種が返却すべき準備貨幣の設定された所定の金種である場合には、前記返却すべき準備貨幣の設定された合計金額から前記一時保留部にある貨幣の合計金額を減算した金額よりも、前記識別された貨幣の金額が小さいか同じであるときにこの貨幣を前記一時保留部に搬送するとともに前記識別された貨幣の金額が大きいときにこの貨幣を前記貨幣返却部に送り、一方、前記識別された貨幣の金種が返却すべき準備貨幣の設定された所定の金種でない場合には当該貨幣を前記貨幣返却部に送り、その後、前記一時保留部に送られてこの一時保留部で一時的に保留された貨幣を準備貨幣として筐体の外部に返却するよう制御を行うことを特徴とする貨幣処理機。
【請求項６】
前記制御部は、前記一時保留部に送られた貨幣の合計金額が、当該制御部において設定されている返却すべき準備貨幣の合計金額に達した後、前記貨幣投入口に投入された貨幣の搬送を行うよう制御を行うことを特徴とする請求項５記載の貨幣処理機。
【請求項７】
前記制御部は、前記一時保留部に送られた貨幣の合計金額が、当該制御部において設定されている返却すべき準備貨幣の合計金額に達したときに、前記搬送部による貨幣の搬送を停止させるよう制御を行うことを特徴とする請求項５または６記載の貨幣処理機。
【請求項８】
前記貨幣処理機における貨幣の処理状況を表示するための表示部を更に備え、
前記制御部は、前記貨幣投入口より投入された全ての貨幣の識別後、前記一時保留部に送られた貨幣の合計金額が、当該制御部において設定されている返却すべき準備貨幣の合計金額に達しなかったときに、前記表示部に、前記一時保留部にある準備貨幣の合計金額または不足金額を表示させるよう制御を行うことを特徴とする請求項５乃至７のいずれか一項に記載の貨幣処理機。
【発明の詳細な説明】
【技術分野】
【０００１】
本発明は、筐体の外部から内部に取り込まれた紙幣や硬貨等からなる貨幣を収納する貨幣処理機に関する。なお、本明細書における「貨幣」は紙幣であっても硬貨であってもよい。
【背景技術】
【０００２】
従来から、硬貨や紙幣からなる貨幣を筐体内に収納させる貨幣処理機として、例えば特開２００１−６７５２６号公報（特許文献１）や特開２０００−２５９８８２号公報（特許文献２）等に開示されるものが知られている。
【０００３】
特許文献１には、小売店等の店舗内に設置され、その店舗における売上金を入金する機能を有する売上金入金機が開示されている。特許文献１に開示される売上金入金機は、貨幣入金専用機であり、金種が混合した状態にある貨幣を１枚ずつ識別計数し、一時保留部で貨幣を金種が混合した状態で一時的に保留し、この一時保留部で一時的に保留された貨幣を一括して筐体の内部の貨幣収納部に収納するかまたは筐体の外部に返却するようになっている。特許文献１に開示される売上金入金機では、貨幣収納部の管理権限は、売上金入金機から貨幣の回収を行う収集業者の収集特定者側にあり、一時保留部から貨幣収納部に貨幣が送られると、店舗側から収集業者側に貨幣が引き渡されたこととなる。なお、特許文献１に開示される売上金入金機においては、指定された金額の貨幣のみを引渡処理することが可能となっている。
【０００４】
また、特許文献２には、紙幣投入口に装填された紙幣を１枚ずつ筐体の内部に繰り出してこの紙幣の金種等を識別部により識別し、識別部による紙幣の識別結果と設定された条件とに基づいて紙幣を例えば金種毎に複数の集積部に分類するような紙幣整理機が開示されている。
【先行技術文献】
【特許文献】
【０００５】
【特許文献１】特開２００１−６７５２６号公報
【特許文献２】特開２０００−２５９８８２号公報
【発明の概要】
【発明が解決しようとする課題】
【０００６】
店舗等において、営業時間の終了後、各レジから回収された紙幣や硬貨等の貨幣を貨幣処理機で計数し、次の営業時間において各レジで使用する予定の釣銭用の準備貨幣の作成や、収集業者の収集特定者側に引き渡される貨幣の作成が行われる。ここで、特許文献１に開示される売上金入金機では、各レジから回収された貨幣を筐体の内部に投入し、この投入された貨幣の金額を計数しながら、所定の金額の貨幣を貨幣収納部で収納して収集特定者側に引き渡すことができる。このときに、この所定の金額の貨幣を売上金額に設定すると、釣銭として準備されていた金額の貨幣が貨幣処理機からレジに返却される。
【０００７】
しかしながら、特許文献１に開示される売上金入金機では、レジに返却されるべき釣銭用の貨幣の金種および金種毎の枚数を、予め設定された適切なものとすることができないという問題がある。
【０００８】
また、特許文献２に開示される紙幣整理機では、紙幣投入口に装填された紙幣を１枚ずつ識別し、識別結果に応じて紙幣を例えば金種毎に複数の集積部に分類することができるようになっている。しかしながら、レジにおける釣銭用の貨幣として、所望の金種および金種毎の枚数の紙幣を得るためには、さらに、金種毎に分類された紙幣の集合体の各々について紙幣の枚数を再び計数する必要がある。紙幣の分類機を用いる代わりに硬貨の分類機を用いる場合も同様である。
【０００９】
これに対して、一般的に、売上金等の貨幣の入金処理および釣銭等の貨幣の出金処理の両方を行うことができる貨幣入出金機であれば、筐体の内部に投入された貨幣の識別計数を行うとともに、指定した金種および金種毎の枚数の貨幣、あるいは指定した金額の貨幣を出金することは容易である。しかしながら、入金処理および出金処理の両方を行うことができる貨幣入出金機は、装置が複雑になり高価なものとなってしまう。このため、貨幣の入金処理や金種毎の分類が主たる用途であり、指定した金種および金種毎の枚数の貨幣の出金の頻度、あるいは指定した金額の貨幣の出金の頻度が少ない場合には、このような貨幣入出金機の導入はコスト面で難しい。
【００１０】
本発明は、このような点を考慮してなされたものであり、貨幣の出金機能を有さずとも、筐体の内部に投入された貨幣の計数を行うとともに、当該投入された貨幣のうち設定された所定の金種およびその金種毎の枚数の貨幣、あるいは設定された所定の金種および合計金額の貨幣を準備貨幣として筐体の外部に戻すことができる貨幣処理機を提供することを目的とする。
【課題を解決するための手段】
【００１１】
本発明の貨幣処理機は、貨幣の処理を行う貨幣処理機であって、筐体と、前記筐体内へ貨幣を投入するための貨幣投入口と、前記筐体内に設けられ、前記貨幣投入口より投入された貨幣の搬送を行う搬送部と、前記搬送部に設置され、前記貨幣投入口より投入され前記搬送部で搬送される貨幣の識別を行う識別部と、前記筐体内に設けられ、前記識別部により識別された貨幣を一時的に保留するとともに前記筐体の外部に戻すことが可能な一時保留部と、前記搬送部に接続され、当該搬送部から送られた貨幣を前記筐体の外部に戻す貨幣返却部と、前記搬送部および前記一時保留部の制御を行う制御部であって、返却すべき貨幣である準備貨幣の所定の金種およびその金種毎の枚数が設定されており、当該制御部は、前記貨幣投入口より前記筐体の内部に投入され前記識別部により識別された貨幣の金種が返却すべき準備貨幣の設定された所定の金種である場合には、当該貨幣の金種に関して前記返却すべき準備貨幣の設定された枚数に達していない貨幣を前記一時保留部に搬送するとともに前記返却すべき準備貨幣の設定された枚数に達している貨幣を前記貨幣返却部に送り、一方、前記識別された貨幣の金種が返却すべき準備貨幣の設定された所定の金種でない場合には当該貨幣を前記貨幣返却部に送り、その後、前記一時保留部に送られてこの一時保留部で一時的に保留された貨幣を準備貨幣として筐体の外部に返却するよう制御を行うことを特徴とする。
【００１２】
このような貨幣処理機によれば、制御部において返却すべき貨幣である準備貨幣の所定の金種およびその金種毎の枚数が設定されており、貨幣投入口より筐体の内部に投入され識別部により識別された貨幣の金種が返却すべき準備貨幣の設定された所定の金種である場合には、当該貨幣の金種に関して前述の返却すべき準備貨幣の設定された枚数に達していない貨幣を一時保留部に搬送するとともに返却すべき準備貨幣の設定された枚数に達している貨幣を貨幣返却部に送る。一方、識別部により識別された貨幣の金種が返却すべき準備貨幣の設定された所定の金種でない場合には当該貨幣を貨幣返却部に送る。その後、一時保留部に送られてこの一時保留部で一時的に保留された貨幣を準備硬貨として筐体の外部に返却するようになっている。
【００１３】
このように、一時保留部には、制御部に設定された準備貨幣の所定の金種およびその金種毎の枚数と同じ金種および金種毎の枚数の貨幣が一時的に保留され、この一時保留部に一時的に保留された貨幣が準備硬貨として筐体の外部に返却される。このため、貨幣処理機は、貨幣の出金機能を有さずとも、筐体の内部に投入された貨幣の計数を識別部で行うとともに、当該投入された貨幣のうち設定された所定の金種およびその金種毎の枚数の貨幣を準備貨幣として筐体の外部に戻すことができる。
【００１４】
本発明の貨幣処理機においては、前記制御部は、前記一時保留部に送られた貨幣の金種毎の枚数が、当該制御部において設定されている返却すべき準備貨幣の所定の金種毎の枚数にそれぞれ達した後、前記貨幣投入口に投入された貨幣の搬送を行うよう制御を行うことが好ましい。
【００１５】
また、前記制御部は、前記一時保留部に送られた貨幣の金種毎の枚数が、当該制御部において設定されている返却すべき準備貨幣の所定の金種毎の枚数にそれぞれ達したときに、前記搬送部による貨幣の搬送を停止させるよう制御を行うことが好ましい。
【００１６】
本発明の貨幣処理機においては、前記貨幣処理機における貨幣の処理状況を表示するための表示部を更に備え、前記制御部は、前記貨幣投入口より投入された全ての貨幣の識別後、前記一時保留部に送られた貨幣の金種のうち少なくともいずれか一つの金種の枚数が、当該制御部において設定されている返却すべき準備貨幣の所定の金種毎の枚数に達しなかったときに、前記表示部に、前記返却すべき準備貨幣の設定された枚数に達しなかった貨幣の金種、ならびにその枚数または不足枚数を表示させるよう制御を行うことが好ましい。
【００１７】
本発明の貨幣処理機は、貨幣の処理を行う貨幣処理機であって、筐体と、前記筐体内へ貨幣を投入するための貨幣投入口と、前記筐体内に設けられ、前記貨幣投入口より投入された貨幣の搬送を行う搬送部と、前記搬送部に設置され、前記貨幣投入口より投入され前記搬送部で搬送される貨幣の識別を行う識別部と、前記筐体内に設けられ、前記識別部により識別された貨幣を一時的に保留するとともに前記筐体の外部に戻すことが可能な一時保留部と、前記搬送部に接続され、当該搬送部から送られた貨幣を前記筐体の外部に戻す貨幣返却部と、前記搬送部および前記一時保留部の制御を行う制御部であって、返却すべき貨幣である準備貨幣の所定の金種および合計金額が設定されており、当該制御部は、前記貨幣投入口より前記筐体の内部に投入され前記識別部により識別された貨幣の金種が返却すべき準備貨幣の設定された所定の金種である場合には、前記返却すべき準備貨幣の設定された合計金額から前記一時保留部にある貨幣の合計金額を減算した金額よりも、前記識別された貨幣の金額が小さいか同じであるときにこの貨幣を前記一時保留部に搬送するとともに前記識別された貨幣の金額が大きいときにこの貨幣を前記貨幣返却部に送り、一方、前記識別された貨幣の金種が返却すべき準備貨幣の設定された所定の金種でない場合には当該貨幣を前記貨幣返却部に送り、その後、前記一時保留部に送られてこの一時保留部で一時的に保留された貨幣を準備貨幣として筐体の外部に返却するよう制御を行うことを特徴とする。
【００１８】
このような貨幣処理機によれば、制御部において返却すべき貨幣である準備貨幣の所定の金種および合計金額が設定されており、貨幣投入口より筐体の内部に投入され識別部により識別された貨幣の金種が準備貨幣の設定された所定の金種である場合には、前述の準備貨幣の設定された合計金額から一時保留部にある貨幣の合計金額を減算した金額よりも、識別された貨幣の金額が小さいか同じであるときにこの貨幣を一時保留部に搬送するとともに識別された貨幣の金額が大きいときにこの貨幣を貨幣返却部に送る。一方、識別部により識別された貨幣の金種が準備貨幣の設定された所定の金種でない場合には当該貨幣を貨幣返却部に送る。その後、一時保留部に送られてこの一時保留部で一時的に保留された貨幣を準備硬貨として筐体の外部に返却するようになっている。
【００１９】
このように、一時保留部には、制御部に設定された準備貨幣の所定の金種および合計金額と同じ金種および合計金額の貨幣が一時的に保留され、この一時保留部に一時的に保留された貨幣が準備硬貨として筐体の外部に返却される。このため、貨幣処理機は、貨幣の出金機能を有さずとも、筐体の内部に投入された貨幣の計数を識別部で行うとともに、当該投入された貨幣のうち設定された所定の金種および合計金額の貨幣を準備貨幣として筐体の外部に戻すことができる。
【００２０】
本発明の貨幣処理機においては、前記制御部は、前記一時保留部に送られた貨幣の合計金額が、当該制御部において設定されている返却すべき準備貨幣の合計金額に達した後、前記貨幣投入口に投入された貨幣の搬送を行うよう制御を行うことが好ましい。
【００２１】
また、前記制御部は、前記一時保留部に送られた貨幣の合計金額が、当該制御部において設定されている返却すべき準備貨幣の合計金額に達したときに、前記搬送部による貨幣の搬送を停止させるよう制御を行うことが好ましい。
【００２２】
本発明の貨幣処理機においては、前記貨幣処理機における貨幣の処理状況を表示するための表示部を更に備え、前記制御部は、前記貨幣投入口より投入された全ての貨幣の識別後、前記一時保留部に送られた貨幣の合計金額が、当該制御部において設定されている返却すべき準備貨幣の合計金額に達しなかったときに、前記表示部に、前記一時保留部にある準備貨幣の合計金額または不足金額を表示させるよう制御を行うことが好ましい。
【発明の効果】
【００２３】
本発明の貨幣処理機によれば、貨幣の出金機能を有さずとも、筐体の内部に投入された貨幣の計数を行うとともに、当該投入された貨幣のうち設定された所定の金種およびその金種毎の枚数の貨幣、あるいは設定された所定の金種および合計金額の貨幣を準備貨幣として筐体の外部に戻すことができる。
【図面の簡単な説明】
【００２４】
【図１】本発明の一の実施の形態における貨幣処理機を示す斜視図である。
【図２】図１に示す貨幣処理機における紙幣処理装置の構成の概略を示す概略構成図である。
【図３】図１に示す貨幣処理機における硬貨処理装置の構成の概略を示す概略構成図である。
【図４】図１に示す貨幣処理機における制御ブロック図である。
【図５】本発明に関連する貨幣処理機における紙幣処理装置の構成の概略を示す概略構成図である。
【図６】本発明に関連する貨幣処理機における紙幣処理装置の他の構成の概略を示す斜視図である。
【図７】図６に示す紙幣処理装置の構成の概略を示す概略構成図である。
【発明を実施するための形態】
【００２５】
以下、図面を参照して本発明の一の実施の形態の貨幣処理機について説明する。本実施の形態に係る貨幣処理機は、筐体の外部から内部に取り込まれた紙幣や硬貨等からなる貨幣を貨幣収納部に収納する機能を有している。図１乃至図４は、本発明による貨幣処理機の一の実施の形態を示す図である。このうち、図１は、本実施の形態における貨幣処理機を示す斜視図であり、図２は、図１に示す貨幣処理機における紙幣処理装置の構成の概略を示す概略構成図であり、図３は、図１に示す貨幣処理機における硬貨処理装置の構成の概略を示す概略構成図である。また、図４は、図１に示す貨幣処理機における制御ブロック図である。
【００２６】
図１に示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣をそれぞれ収納する貨幣収納部４０が設けられている。ここで、貨幣処理機１０のうち、紙幣処理装置２０および硬貨処理装置３０は店舗側の管理権限下にあり、貨幣収納部４０は収集特定者側の管理権限下にある。以下、紙幣処理装置２０、硬貨処理装置３０および貨幣収納部４０の各構成要素について詳述する。
【００２７】
まず、貨幣収納部４０の構成について図１乃至図４を用いて説明する。図１等に示すように、貨幣処理機１０の筐体１１の下部に貨幣収納部４０が設けられている。この貨幣収納部４０は、２つの紙幣収納カセット４１ａ、４１ｂおよび２つの硬貨収納カセット４２ａ、４２ｂを有している。ここで、図２に示すように、２つの紙幣収納カセット４１ａ、４１ｂは紙幣処理装置２０に対応して設けられており、一方、図３に示すように、２つの硬貨収納カセット４２ａ、４２ｂは硬貨処理装置３０に対応して設けられている。
【００２８】
各紙幣収納カセット４１ａ、４１ｂには、紙幣処理装置２０の一時保留部２９（後述）に搬送された紙幣がこの一時保留部２９から送られるようになっている。また、各硬貨収納カセット４２ａ、４２ｂには、硬貨処理装置３０の一時保留部３７（後述）に搬送された硬貨が送られるようになっている。
【００２９】
そして、例えば売上金の回収業務を行う収集特定者によって、貨幣収納部４０が筐体１１から手前側に引き出され、各収納カセット４１ａ、４１ｂ、４２ａ、４２ｂが貨幣収納部４０から取り出され、収集特定者が各収納カセット４１ａ、４１ｂ、４２ａ、４２ｂ自体を回収するようになっている。より具体的には、図２に示すように、紙幣収納カセット４１ａ、４１ｂには、それぞれ規制ユニット４１ｃ、４１ｄが設けられている。そして、規制ユニット４１ｃは、貨幣収納部４０からの紙幣収納カセット４１ａの取り出しを規制するようになっており、規制ユニット４１ｄは、貨幣収納部４０からの紙幣収納カセット４１ｂの取り出しを規制するようになっている。また、図３に示すように、各硬貨収納カセット４２ａ、４２ｂには、それぞれ規制ユニット４２ｃ、４２ｄが設けられている。そして、規制ユニット４２ｃは、貨幣収納部４０からの硬貨収納カセット４２ａの取り出しを規制するようになっており、規制ユニット４２ｄは貨幣収納部４０からの硬貨収納カセット４２ｂの取り出しを規制するようになっている。
【００３０】
前述のように、貨幣収納部４０の管理権限は収集特定者側にある。このため、貨幣収納部４０を筐体１１から引き出したり、各規制ユニット４１ｃ、４１ｄ、４２ｃ、４２ｄによる各収納カセット４１ａ、４１ｂ、４２ａ、４２ｂの取り出しの規制を解除したりすることはできるのは収集特定者に限定される。すなわち、店舗側の操作者は、貨幣収納部４０を筐体１１から引き出したり、各規制ユニット４１ｃ、４１ｄ、４２ｃ、４２ｄによる各収納カセット４１ａ、４１ｂ、４２ａ、４２ｂの取り出しの規制を解除したりすることはできないようになっている。
【００３１】
規制ユニット４１ｃ、４２ｃや規制ユニット４１ｄ、４２ｄとしては、例えばロック機構からなり、ＩＤカードによって収集特定者を確認してその収集特定者に権限があるか否かを上位装置に照会してロック機構の解除を行うものが挙げられる。あるいは、各規制ユニット４１ｃ、４２ｃ、４１ｄ、４２ｄのロック機構は施錠されており、各収集特定者は管理権限に応じた鍵を持ち、特定の規制ユニットのみを解錠してロック機構の解除を行うことができるようになっていてもよい。
【００３２】
なお、紙幣や硬貨を収納するために貨幣収納部４０に設置されるものはカセットに限定されることはない。例えば、複数の収納袋を貨幣収納部４０に設置し、貨幣収納部４０において紙幣や硬貨を各収納袋に収納させるようにしてもよい。
【００３３】
次に、紙幣処理装置２０の構成について図１および図２を用いて説明する。図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００３４】
紙幣投入口２１は、操作者により１または束状態の複数の紙幣が短手方向に一括して投入されるよう構成されている。図１に示すように、この紙幣投入口２１には手動で開閉可能な紙幣投入口カバー２８が配設されており、紙幣投入口カバー２８が開いたときのみに操作者は紙幣を紙幣投入口２１に投入することができるようになっている。図２に示すように、紙幣投入口２１は搬送部２５に接続されており、紙幣投入口２１に投入された１または束状態の複数の紙幣は、１枚ずつ繰り出されて搬送部２５で搬送されるようになっている。
【００３５】
紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣等が搬送部２５から送られるようになっている。操作者はこの紙幣リジェクト口２２に送られた紙幣を取り出すことができるようになっている。紙幣リジェクト口２２にはカバー（図示せず）が設けられており、待機時にはこのカバーは開状態となっており、処理時にはこのカバーは閉状態となる。
【００３６】
紙幣返却口２３には、図２に示すように、搬送部２５に接続された一時保留部２９が設けられている。この一時保留部２９には、搬送部２５から紙幣が送られて集積されるようになっている。また、紙幣返却口２３には開閉可能な扉２４が設けられている。一時保留部２９にある紙幣を返却する場合には、一時保留部２９の装置前面側の壁面が開いて、操作者は扉２４から紙幣を取り出すことができるようになっている。扉２４は、紙幣が取れる状態になれば、自動的に開くようになっている。なお、後述のように、一時保留部２９内に保留された紙幣は、操作者により紙幣返却口２３から取り出される代わりに、貨幣収納部４０内に配置された紙幣収納カセット４１ａ、４１ｂに送られる場合もある。
【００３７】
搬送部２５は、紙幣処理装置２０の内部で紙幣を１枚ずつ順次搬送する機能を有している。具体的には、搬送部２５において、紙幣は一対のベルト間に挟まれて搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図２に示すように、搬送部２５は、紙幣投入口２１に投入された紙幣を紙幣リジェクト口２２または一時保留部２９に搬送するよう構成されている。
【００３８】
図２に示すように、搬送部２５には、当該搬送部２５で搬送される紙幣の識別を１枚ずつ行う識別部２６が設置されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。
【００３９】
一時保留部２９は、前述のように紙幣返却口２３に設けられており、図２に示すように搬送部２５に接続されている。この一時保留部２９には、紙幣投入口２１に投入された紙幣が搬送部２５により送られるようになっており、搬送部２５から送られた紙幣を束状態で複数保留することができるようになっている。ここで、操作者により扉２４が開かれることによって操作者は一時保留部２９内に収納された紙幣を取り出すことができるようになっている。また、一時保留部２９の底面には開閉が可能な底板が設けられ、紙幣は底板に載せられるようになっている。ここで、図２に示すように、一時保留部２９は、紙幣収納カセット４１ａの上方の位置（図２における実線の位置）と、紙幣収納カセット４１ｂの上方の位置（図２における二点鎖線の位置）との間で往復移動するようになっている。そして、一時保留部２９に搬送された紙幣を紙幣収納カセット４１ａに収納させる際には、一時保留部２９を紙幣収納カセット４１ａの上方の位置に移動させ、一方、一時保留部２９に搬送された紙幣を紙幣収納カセット４１ｂに収納させる際には、一時保留部２９を紙幣収納カセット４１ｂの上方の位置に移動させるようになっている。
【００４０】
一時保留部２９にある紙幣を紙幣収納カセット４１ａまたは紙幣収納カセット４１ｂに収納させる動作について以下に説明する。ここでは、一時保留部２９にある紙幣を紙幣収納カセット４１ａに収納させる動作について説明するが、一時保留部２９にある紙幣を紙幣収納カセット４１ｂに収納させる動作についても同様である。一時保留部２９にある紙幣を紙幣収納カセット４１ａに収納させる際に、まず、この紙幣収納カセット４１ａに設けられたステージが上昇し、ステージ上の紙幣の上面が一時保留部２９の底板のすぐ下まで移動する。そして、底板が水平に移動して開き、一時保留部２９内の紙幣はステージ上の紙幣の上に落下する。そして、ステージ上の紙幣を上から押さえ部材で押さえた状態で、ステージが下降し、紙幣を紙幣収納カセット４１ａへ収納するようになっている。
【００４１】
次に、硬貨処理装置３０の構成について図１および図３を用いて説明する。図１および図３に示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクト硬貨の返却を行うとともに硬貨処理装置３０内に取り込まれた硬貨のうち貨幣収納部４０に収納されない硬貨を硬貨処理装置３０の外部に返却する硬貨返却口３３とを備えている。硬貨投入口３１には、開閉可能な硬貨投入口カバー３１ａが配置されている。また、硬貨返却口３３には、硬貨返却ボックス３３ａが引き出し可能に配置されている。
【００４２】
硬貨処理装置３０の内部には、硬貨投入口３１から投入された硬貨を受け入れて貯留し、硬貨を１枚ずつ繰り出すとともに、下部を開放して変形硬貨や異物等の落下放出を可能とした貯留繰出部３４が設けられている。この貯留繰出部３４の下部には開閉機構（図示せず）が設けられており、この開閉機構が開状態となったときに、貯留繰出部３４内の変形硬貨や異物等は下方に落下放出されるようになっている。
【００４３】
また、硬貨処理装置３０の内部には、貯留繰出部３４から繰り出された硬貨を１枚ずつ搬送し、搬送中に識別部３５ａで硬貨の金種、真偽、正損等を識別し、その識別結果に基づき硬貨を搬送先別に分岐させる搬送部３５が設けられている。また、搬送部３５は、硬貨返却ボックス３３ａに接続され、当該搬送部３５からリジェクトされた硬貨等を硬貨返却ボックス３３ａに返却する。搬送部３５は、貯留繰出部３４に接続された上流側端部から筐体１１の奥側に向かって（図３の右方に向かって）延設されるとともに、筐体１１の奥側で上側に折り返されて筐体１１の前側に向かって（図３の左方に向かって）延設され、硬貨返却ボックス３３ａ内に硬貨を落下可能に配設されている。
【００４４】
搬送部３５における、識別部３５ａよりも搬送方向下流側の途中位置には、識別部３５ａで正規の硬貨であると識別された硬貨を搬送部３５から分岐させる分岐部材３５ｂが設けられている。この分岐部材３５ｂは、識別部３５ａによる硬貨の識別結果に基づいて搬送部３５の搬送通路内に進退し、後述する一時保留部３７に搬送される硬貨を搬送部３５から分岐させるとともに、リジェクトする硬貨をそのまま搬送部３５で搬送させる。分岐部材３５ｂの位置には、当該分岐部材３５ｂで分岐された硬貨を受け入れて下方へ案内するシュート３５ｃの上端部が配置されている。シュート３５ｃの下端部は、第１の収納位置ａ（後述）に位置する一時保留部３７の上方に配置されている。
【００４５】
図３に示すように、硬貨処理装置３０の内部には、搬送部３５から送り出された硬貨を一時的に保留することが可能な一時保留部３７が設けられている。この一時保留部３７は、上下方向に開口された枠状に形成されており、筐体１１内の貯留繰出部３４の下側に配置されるとともに、駆動機構３７ｂ（図４参照）によって筐体１１の奥行き方向に往復移動するようになっている（すなわち、一時保留部３７は図３の左右方向に往復移動するようになっている）。なお、一時保留部３７は、貯留繰出部３４の硬貨収納容量より多い硬貨を収納することができるようになっている。
【００４６】
一時保留部３７の停止位置は、硬貨収納カセット４２ａの上方の位置である第１の収納位置ａ、貯留繰出部３４の下方の位置である排除位置ｂ、硬貨返却ボックス３３ａの上方の位置である返却位置ｃ、および硬貨収納カセット４２ｂの上方の位置である第２の収納位置ｄの４位置となっている（図３参照）。一時保留部３７の各位置ａ〜ｄは、位置検知手段３７ｃ（図４参照）によって検知されるようになっている。一時保留部３７は第１の収納位置ａを定位置としている。
【００４７】
また、一時保留部３７の下側には、この一時保留部３７の下面を閉塞する底板３７ａが配設されている。この底板３７ａは略水平方向に延びており、駆動機構３７ｆ（図４参照）によって筐体１１の奥行き方向に往復移動するようになっている（すなわち、底板３７ａは図３の左右方向に往復移動するようになっている）。底板３７ａの停止位置は、第１の収納位置ａにある一時保留部３７の真下の位置である第１の位置ｍ、および第２の収納位置ｄにある一時保留部３７の真下の位置である第２の位置ｎの２位置となっている（図３参照）。底板３７ａの各位置ｍ、ｎは、位置検知手段３７ｇ（図４参照）によって検知されるようになっている。底板３７ａは第１の位置ｍを定位置としている。
【００４８】
また、第１の収納位置ａに位置する一時保留部３７の下側には、この一時保留部３７内の硬貨を硬貨収納カセット４２ａに送るための硬貨収納シュート３７ｄが設けられている。また、第２の収納位置ｄに位置する一時保留部３７の下側には、この一時保留部３７内の硬貨を硬貨収納カセット４２ｂに送るための硬貨収納シュート３７ｅが設けられている。
【００４９】
一時保留部３７が定位置（第１の収納位置ａ）にあるとともに、底板３７ａが定位置（第１の位置ｍ）にある場合には、図３に示すように、一時保留部３７は、搬送部３５からシュート３５ｃを介して送り出されてくる硬貨を受け取り、この受け取った硬貨を一時的に保留するようになっている。一方、一時保留部３７が定位置（第１の収納位置ａ）にあるとともに、底板３７ａが第２の位置ｎにある場合には、搬送部３５からシュート３５ｃを介して送り出されてくる硬貨は、一時保留部３７を通過して（すなわち、一時保留部３７で一時的に保留されることなく）そのまま硬貨収納シュート３７ｄに送られ、最終的に硬貨収納カセット４２ａに送られることとなる。
【００５０】
このように、一時保留部３７が定位置（第１の収納位置ａ）にあるとともに、底板３７ａが第２の位置ｎにある場合には、搬送部３５からシュート３５ｃを介して一時保留部３７に送り出されてくる硬貨を硬貨収納カセット４２ａにダイレクト入金（一時的な保留を行わないような入金）することができる。
【００５１】
一時保留部３７が排除位置ｂにあるとともに、底板３７ａが定位置（第１の位置ｍ）にある場合には、この一時保留部３７は、貯留繰出部３４から落下放出される硬貨を受け入れる。この際に、一時保留部３７が底板３７ａから部分的に外れることにより一時保留部３７の底面が部分的に開口され、この一時保留部３７に受け入れられた硬貨の一部は下方にある硬貨返却ボックス３３ａに落下放出されるようになっている。さらに、落下放出終了後に、一時保留部３７が返却位置ｃに移動し、全ての硬貨を硬貨返却ボックス３３ａに落下放出して返却する。
【００５２】
一時保留部３７が第１の収納位置ａから返却位置ｃに移動した場合には、一時保留部３７が底板３７ａから外れることにより一時保留部３７の底面が開口され、この一時保留部３７に搬送された硬貨は下方にある硬貨返却ボックス３３ａに落下することとなる。
【００５３】
また、底板３７ａが定位置（第１の位置ｍ）にとどまったまま、一時保留部３７が第１の収納位置ａから第２の収納位置ｄに移動した場合には、一時保留部３７が底板３７ａから外れることにより一時保留部３７の底面が開口され、この一時保留部３７に搬送された硬貨は下方にある硬貨収納シュート３７ｅに落下し、最終的に硬貨収納カセット４２ｂに送られることとなる。
【００５４】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。
【００５５】
表示部４４は、例えば液晶ディスプレイ（ＬＣＤ）から構成されている。また、貨幣処理機１０の筐体１１の上面には、貨幣処理機１０における貨幣の処理内容等を印字するプリンタ４３が設けられている。
【００５６】
また、筐体１１の前面には、操作者の操作権限の確認を行うためのカードリーダ４６が設けられている。カードリーダ４６は、操作者が携帯するＩＤカードのＩＤ情報の読み取りを行うようになっている。また、筐体１１の内部には、様々な情報を記憶する記憶部４７が設けられている。
【００５７】
次に、貨幣処理機１０における各構成要素の制御を行う制御部１５について図４を用いて説明する。制御部１５は貨幣処理機１０の筐体１１内に設置されている。
【００５８】
図４に示すように、制御部１５には、紙幣処理装置２０の各構成要素（例えば、搬送部２５、識別部２６、扉２４、一時保留部２９等）、硬貨処理装置３０の各構成要素（例えば、貯留繰出部３４、搬送部３５、識別部３５ａ、一時保留部３７の駆動機構３７ｂ、一時保留部３７の位置検知手段３７ｃ、底板３７ａの駆動機構３７ｆ、底板３７ａの位置検知手段３７ｇ等）、表示部４４、操作部４５、プリンタ４３、カードリーダ４６、記憶部４７等が接続されている。
【００５９】
制御部１５には、紙幣処理装置２０の識別部２６による紙幣の識別結果や、硬貨処理装置３０の識別部３５ａによる硬貨の識別結果、位置検知手段３７ｃによる一時保留部３７の位置情報、位置検知手段３７ｇによる底板３７ａの位置情報等が送られるようになっている。また、制御部１５には、カードリーダ４６により読み取られた操作者のＩＤカードのＩＤ情報が送られるようになっている。また、制御部１５は、紙幣処理装置２０や硬貨処理装置３０の各構成要素を制御したり、表示部４４、操作部４５、プリンタ４３を制御したりするようになっている。さらに、制御部１５は、当該制御部１５に接続されたインターフェース１６を介して、例えば回収業務を行う収集業者が設置した上位装置と通信可能となっている。また、制御部１５には記憶部４７が接続され、上述の識別結果や各種の情報等が記憶されるようになっている。
【００６０】
次に、このような構成からなる貨幣処理機１０の動作について説明する。
【００６１】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００６２】
インターフェース確認モードとは、貨幣処理機１０の初期状態において、すなわち貨幣処理機１０が導入された際に、インターフェース１６により貨幣処理機１０が上位装置等に通信接続されるか否かを確認するためのモードである。このようなインターフェース確認モードにおいて、インターフェース１６により貨幣処理機１０が上位装置等に通信接続されたときには、上位装置等から貨幣処理機１０に様々な設定データが送られる。
【００６３】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する引渡処理等の様々な処理を行うことができる。また、この開店モードにおいては、例えば売上金の回収業務を行う収集業者の収集特定者によって、貨幣収納部４０の各カセット４１ａ、４１ｂ、４２ａ、４２ｂ自体の回収を行うこともできる。一方、閉店モードにおいては、収集特定者による貨幣収納部４０の各カセット４１ａ、４１ｂ、４２ａ、４２ｂの回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０に設けられた記憶部４７等に記憶されることとなる。上述の各モードの選択は、操作者が操作部４５により選択することができる。
【００６４】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００６５】
ここで、筐体１１の外部から内部に取り込まれた紙幣や硬貨等からなる貨幣を貨幣収納部４０に収納するような、貨幣の入金処理の詳細について以下に説明する。なお、以下に示す貨幣の入金処理は、制御部１５が貨幣処理機１０の各構成要素を制御することにより行われる。
【００６６】
まず、操作者は、釣銭用や従業員の賃金用等の返却すべき貨幣である準備貨幣について、操作部４５により、準備貨幣の金種およびその金種毎の枚数を入力する。具体的には、例えば、操作者は、釣銭用の準備貨幣が、１０円硬貨５０枚、１００円硬貨５０枚、千円札１０枚、五千円札５枚であることを、操作部４５により入力する。これらの入力内容は制御部１５に設定される。そして、店舗の売上金等の貨幣のうち紙幣を操作者が紙幣処理装置２０の紙幣投入口２１に投入したときには、紙幣投入口２１に投入された紙幣は１枚ずつ搬送部２５により搬送され、識別部２６において紙幣の識別が行われる。
【００６７】
ここで、識別部２６により識別された紙幣の金種が返却すべき準備貨幣の所定の金種、すなわち例えば千円札である場合には、この紙幣の金種（千円札）に関して返却すべき準備貨幣の設定された枚数（すなわち、１０枚）に達していない紙幣は搬送部２５により一時保留部２９に送られる。すなわち、一時保留部２９に既に保留されている千円札が９枚以下である場合には、識別部２６により識別された紙幣が千円札である場合にはこの紙幣は一時保留部２９に送られることとなる。一方、識別部２６により識別された紙幣の金種（千円札）に関して返却すべき準備貨幣の設定された枚数（すなわち、１０枚）に達している紙幣は搬送部２５により紙幣リジェクト口２２に送られる。
【００６８】
また、識別部２６により識別された紙幣の金種が返却すべき準備貨幣の所定の金種でない場合には、すなわち例えば二千円札や一万円札である場合には、この紙幣は搬送部２５により紙幣リジェクト口２２に送られる。また、識別部２６により偽札等のリジェクト紙幣であると識別された紙幣や、識別部２６により識別することができなかった紙幣も、搬送部２５により紙幣リジェクト口２２に送られる。
【００６９】
その後、一時保留部２９に送られた紙幣の金種毎の枚数が、制御部１５において設定されている返却すべき準備貨幣の所定の金種毎の枚数にそれぞれ達したときに、すなわち、一時保留部２９に千円札が１０枚送られるとともに五千円札が５枚送られたときに、搬送部２５による紙幣の搬送が停止させられる。この際に、紙幣投入口２１から紙幣処理装置２０の内部への紙幣の投入も停止させられる。また、この際に、一時保留部２９に一時的に保留された紙幣の金種、金種毎の枚数、および属性（具体的には、釣銭用、または従業員の賃金用等の準備貨幣の用途）が記憶部４７に記憶される。そして、一時保留部２９の装置前面側の扉２４が自動的に開き、操作者により紙幣返却口２３を介して一時保留部２９から紙幣を取り出すことができるようになる。このようにして、一時保留部２９で一時的に保留された紙幣が、釣銭用や従業員の賃金用等の返却すべき準備貨幣として、紙幣処理装置２０の外部に返却される。
【００７０】
なお、紙幣投入口２１にある紙幣が全て紙幣処理装置２０の内部に投入されても、一時保留部２９に送られた紙幣の金種のうち少なくともいずれか一つの金種の枚数が、制御部１５において設定されている返却すべき準備貨幣の所定の金種毎の枚数に達しなかったときに、すなわち、一時保留部２９に送られた紙幣に関して千円札が９枚以下であるか、および／または五千円札が４枚以下であるときに、制御部１５は、返却すべき準備貨幣の設定された枚数に達しなかった紙幣の金種、ならびにその枚数または不足枚数を表示部４４において表示させるよう制御を行う。より具体的には、紙幣投入口２１にある紙幣が全て紙幣処理装置２０の内部に投入されたときに、一時保留部２９にある紙幣について千円札が８枚、五千円札が４枚である場合には、「一時保留部にある千円札の枚数が８枚、五千円札の枚数が４枚」である旨の表示、または「千円札の不足枚数が２枚、五千円札の不足枚数が１枚」である旨の表示が表示部４４で行われる。
【００７１】
また、一時保留部２９に送られた紙幣の金種毎の枚数が、制御部１５において設定されている返却すべき準備貨幣の所定の金種毎の枚数にそれぞれ達したときに、または紙幣投入口２１にある紙幣が全て紙幣処理装置２０の内部に投入されたときに、紙幣リジェクト口２２に設けられたカバーが開き、操作者は紙幣リジェクト口２２に送られた紙幣を取り出すことができるようになる。その後、操作者は、紙幣リジェクト口２２から取り出した紙幣を、入金紙幣（引渡紙幣）として再び紙幣投入口２１に投入する。紙幣投入口２１に投入された紙幣は１枚ずつ搬送部２５により搬送され、識別部２６において紙幣の識別が行われる。識別部２６により正常な紙幣であると識別された紙幣は搬送部２５により一時保留部２９に送られる。一方、識別部２６により偽札等のリジェクト紙幣であると識別された紙幣や、識別部２６により識別することができなかった紙幣は、搬送部２５により紙幣リジェクト口２２に送られる。
【００７２】
再び紙幣投入口２１に投入された紙幣が全て一時保留部２９または紙幣リジェクト口２２に送られると、制御部１５は、入金処理の確定を行うか否かのメッセージを表示部４４において表示させ、操作者に対して入金処理の確定の入力を要求する。そして、操作者が操作部４５の「確定キー」を押した場合には、一時保留部２９にある紙幣を紙幣収納カセット４１ａ、４１ｂに収納させる。このようにして、店舗側から収集業者等の収集特定者側に紙幣が引き渡される。
【００７３】
以上においては紙幣処理装置２０の動作について説明したが、次に硬貨処理装置３０の動作について説明する。前述のように、制御部１５において、釣銭用の準備貨幣が、１０円硬貨５０枚、１００円硬貨５０枚であることが設定されている。
【００７４】
店舗の売上金等の貨幣のうち硬貨を操作者が硬貨処理装置３０の硬貨投入口３１に投入したときには、硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。
【００７５】
ここで、識別部３５ａにより識別された硬貨の金種が返却すべき準備貨幣の所定の金種、すなわち例えば１０円硬貨である場合には、この硬貨の金種（１０円硬貨）に関して返却すべき準備貨幣の設定された枚数（すなわち、５０枚）に達していない硬貨は、分岐部材３５ｂにより搬送部３５の搬送通路から分岐され、シュート３５ｃを介して一時保留部３７に送られる。すなわち、一時保留部３７に既に保留されている１０円硬貨が４９枚以下である場合には、識別部３５により識別された硬貨が１０円硬貨である場合にはこの硬貨は一時保留部３７に送られることとなる。一方、識別部３５ａにより識別された硬貨の金種（１０円硬貨）に関して返却すべき準備貨幣の設定された枚数（すなわち、５０枚）に達している硬貨は、搬送部３５の搬送通路から分岐させられることなく、そのまま硬貨返却ボックス３３ａに送られる。
【００７６】
また、識別部３５ａにより識別された硬貨の金種が返却すべき準備貨幣の所定の金種でない場合には、すなわち例えば１円硬貨、５円硬貨、５０円硬貨または５００円硬貨である場合には、この硬貨は搬送部３５の搬送通路から分岐させられることなく、そのまま硬貨返却ボックス３３ａに送られる。また、識別部３５ａにより識別不能な硬貨等のリジェクト硬貨であると識別された硬貨も、搬送部３５の搬送通路から分岐させられることなく、そのまま硬貨返却ボックス３３ａに送られる。
【００７７】
その後、一時保留部３７に送られた硬貨の金種毎の枚数が、制御部１５において設定されている返却すべき準備貨幣の所定の金種毎の枚数にそれぞれ達したときに、すなわち、一時保留部３７に１０円硬貨が５０枚送られるとともに１００円硬貨が５０枚送られたときに、搬送部３５による硬貨の搬送が停止させられる。この際に、貯留繰出部３４から搬送部３５への硬貨の繰り出しも停止させられる。また、この際に、一時保留部３７に一時的に保留された硬貨の金種、金種毎の枚数、および属性（具体的には、釣銭用、または従業員の賃金用等の準備貨幣の用途）が記憶部４７に記憶される。
【００７８】
そして、操作者は、硬貨返却口３３から硬貨返却ボックス３３ａを引き出すことにより、硬貨返却ボックス３３ａ内の硬貨を取り出すことができる。この最初に取り出された硬貨は、後述するように、操作者により再び硬貨投入口３１に投入される。
【００７９】
その後、硬貨返却ボックス３３ａが空になったら、一時保留部３７が第１の収納位置ａから返却位置ｃに移動する。このことにより、一時保留部３７の底面が開き、この一時保留部３７にある硬貨は硬貨返却ボックス３３ａに落下する。そして、操作者は、硬貨返却口３３から硬貨返却ボックス３３ａを引き出すことにより、硬貨返却ボックス３３ａ内の硬貨を取り出すことができる。操作者により硬貨返却ボックス３３ａから２回目に取り出された硬貨は、釣銭用や従業員の賃金用等の返却すべき準備貨幣となる。
【００８０】
なお、硬貨投入口３１にある硬貨が全て硬貨処理装置３０の内部に投入され、貯留繰出部３４から搬送部３５に繰り出されたとしても、一時保留部３７に送られた硬貨の金種のうち少なくともいずれか一つの金種の枚数が、制御部１５において設定されている返却すべき準備貨幣の所定の金種毎の枚数に達しなかったときに、すなわち、一時保留部３７に送られた硬貨に関して１０円硬貨が４９枚以下であるか、および／または１００円硬貨が４９枚以下であるときに、制御部１５は、返却すべき準備貨幣の設定された枚数に達しなかった硬貨の金種、ならびにその枚数または不足枚数を表示部４４において表示させるよう制御を行う。より具体的には、硬貨投入口３１にある硬貨が全て硬貨処理装置３０の内部に投入され、貯留繰出部３４から搬送部３５に繰り出されたときに、一時保留部３７にある硬貨について１０円硬貨が３０枚、１００円硬貨が４０枚である場合には、「一時保留部にある１０円硬貨の枚数が３０枚、１００円硬貨の枚数が４０枚」である旨の表示、または「１０硬貨の不足枚数が２０枚、１００円硬貨の不足枚数が１０枚」である旨の表示が表示部４４で行われる。
【００８１】
その後、操作者は、１回目に硬貨返却ボックス３３ａから取り出した硬貨を、入金硬貨（引渡硬貨）として再び硬貨投入口３１に投入する。硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。
【００８２】
識別部３５ａにより正常な硬貨であると識別された硬貨は、分岐部材３５ｂにより搬送部３５の搬送通路から分岐され、シュート３５ｃを介して一時保留部３７に送られる。一方、識別部３５ａにより識別不能な硬貨等のリジェクト硬貨であると識別された硬貨は、搬送部３５の搬送通路から分岐させられることなく、そのまま硬貨返却ボックス３３ａに送られる。
【００８３】
再び硬貨投入口３１に投入された硬貨が全て一時保留部３７または硬貨返却ボックス３３ａに送られると、制御部１５は、入金処理の確定を行うか否かのメッセージを表示部４４において表示させ、操作者に対して入金処理の確定の入力を要求する。そして、操作者が操作部４５の「確定キー」を押した場合には、一時保留部の駆動機構３７ｂまたは底板の駆動機構３７ｆによって一時保留部３７または底板３７ａが移動させられることにより、一時保留部３７にある硬貨を硬貨収納カセット４２ａ、４２ｂに収納させる。このようにして、店舗側から収集業者等の収集特定者側に硬貨が引き渡される。
【００８４】
以上のように本実施の形態の貨幣処理機１０によれば、制御部１５において返却すべき貨幣である準備貨幣の所定の金種およびその金種毎の枚数が設定されており、紙幣投入口２１や硬貨投入口３１より筐体１１の内部に投入され識別部２６、３５ａにより識別された紙幣や硬貨の金種が返却すべき準備貨幣の設定された所定の金種である場合には、当該紙幣や硬貨の金種に関して前述の返却すべき準備貨幣の設定された枚数に達していない紙幣や硬貨を一時保留部２９、３７に搬送するとともに返却すべき準備貨幣の設定された枚数に達している紙幣や硬貨を紙幣リジェクト口２２や硬貨返却口３３に送る。一方、識別部２６、３５ａにより識別された紙幣や硬貨の金種が返却すべき準備貨幣の設定された所定の金種でない場合には当該紙幣や硬貨を紙幣リジェクト口２２や硬貨返却口３３に送る。その後、一時保留部２９、３７に送られてこの一時保留部２９、３７で一時的に保留された紙幣や硬貨を準備貨幣として筐体１１の外部に返却するようになっている。
【００８５】
このように、紙幣処理装置２０や硬貨処理装置３０の一時保留部２９、３７には、制御部１５に設定された返却すべき準備貨幣の所定の金種およびその金種毎の枚数と同じ金種および金種毎の枚数の紙幣や硬貨が一時的に保留され、この一時保留部２９、３７に一時的に保留された紙幣や硬貨が準備貨幣として筐体１１の外部に返却される。このため、貨幣処理機１０は、紙幣や硬貨の出金機能を有さずとも、筐体１１の内部に投入された紙幣や硬貨の計数を識別部２６、３５ａで行うとともに、当該投入された紙幣や硬貨のうち設定された所定の金種およびその金種毎の枚数の紙幣や硬貨を準備貨幣として筐体１１の外部に戻すことができる。
【００８６】
また、本実施の形態の貨幣処理機１０においては、一時保留部２９、３７に送られた紙幣や硬貨の金種毎の枚数が、制御部１５において設定されている返却すべき準備貨幣の所定の金種毎の枚数にそれぞれ達したときに、搬送部２５、３５による紙幣や硬貨の搬送を停止させるよう制御部１５は制御を行うようになっている。なお、本実施の形態の貨幣処理機１０においては、一時保留部２９、３７に送られた紙幣や硬貨の金種毎の枚数が、制御部１５において設定されている返却すべき準備貨幣の所定の金種毎の枚数にそれぞれ達したときに、紙幣投入口２１や硬貨投入口３１に投入された紙幣や硬貨の搬送を行うよう制御部１５は制御を行うようになっていてもよい。
【００８７】
また、本実施の形態の貨幣処理機１０においては、紙幣投入口２１や硬貨投入口３１より投入された全ての紙幣や硬貨の識別後、一時保留部２９、３７に送られた紙幣や硬貨の金種のうち少なくともいずれか一つの金種の枚数が、制御部１５において設定されている返却すべき準備貨幣の所定の金種毎の枚数に達しなかったときに、表示部４４に、返却すべき準備貨幣の設定された枚数に達しなかった紙幣や硬貨の金種、ならびにその枚数または不足枚数を表示させるよう制御部１５は制御を行うようになっていてもよい。
【００８８】
なお、本実施の形態による貨幣処理機１０は、上記の態様に限定されるものではなく、様々の変更を加えることができる。例えば、操作者は、釣銭用や従業員の賃金用等の返却すべき準備貨幣について、準備貨幣の金種およびその金種毎の枚数を入力する代わりに、準備貨幣の金種および合計金額を、操作部４５により入力するようになっていてもよい。具体的には、この場合、操作者は、例えば、釣銭用や従業員の賃金用の準備貨幣の金種が１０円硬貨、１００円硬貨、千円札、五千円札であり、この準備貨幣に関して硬貨の合計金額が１，０００円であるとともに紙幣の合計金額が１２，０００円であることを、操作部４５により入力することとなる。
【００８９】
以下、操作者が、準備貨幣の金種およびその金種毎の枚数ではなく、準備貨幣の金種および合計金額を操作部４５により入力した場合について説明する。これらの入力内容は制御部１５に設定される。そして、店舗の売上金等の貨幣のうち紙幣を操作者が紙幣処理装置２０の紙幣投入口２１に投入したときには、紙幣投入口２１に投入された紙幣は１枚ずつ搬送部２５により搬送され、識別部２６において紙幣の識別が行われる。
【００９０】
ここで、識別部２６により識別された紙幣の金種が返却すべき準備貨幣の所定の金種、すなわち例えば千円札である場合には、返却すべき準備貨幣の設定された合計金額（すなわち、１２，０００円）から一時保留部２９にある紙幣の合計金額を減算した金額よりも、この識別された紙幣の金額（すなわち、１，０００円）が小さいか同じであるときに、この紙幣は搬送部２５により一時保留部２９に送られる。すなわち、一時保留部２９にある紙幣の合計金額が１１，０００円以下である場合には、識別部２６により識別された紙幣が千円札であるときにはこの紙幣は一時保留部２９に送られることとなる。一方、返却すべき準備貨幣の設定された合計金額から一時保留部２９にある紙幣の合計金額を減算した金額よりも、識別部２６により識別された紙幣の金額が大きいときには、この紙幣は搬送部２５により紙幣リジェクト口２２に送られる。
【００９１】
また、識別部２６により識別された紙幣の金種が返却すべき準備貨幣の所定の金種でない場合には、すなわち例えば二千円札や一万円札である場合には、この紙幣は搬送部２５により紙幣リジェクト口２２に送られる。また、識別部２６により偽札等のリジェクト紙幣であると識別された紙幣や、識別部２６により識別することができなかった紙幣も、搬送部２５により紙幣リジェクト口２２に送られる。
【００９２】
その後、一時保留部２９に送られた紙幣の合計金額が、制御部１５において設定されている返却すべき準備貨幣の合計金額に達したときに、すなわち、一時保留部２９に送られた千円札および五千円札の合計金額が１２，０００円となったときに、搬送部２５による紙幣の搬送が停止させられる。この際に、紙幣投入口２１から紙幣処理装置２０の内部への紙幣の投入も停止させられる。また、この際に、一時保留部２９に一時的に保留された紙幣の金種、合計金額、および属性（具体的には、釣銭用、または従業員の賃金用等の準備貨幣の用途）が記憶部４７に記憶される。そして、一時保留部２９の装置前面側の扉２４が自動的に開き、操作者により紙幣返却口２３を介して一時保留部２９から紙幣を取り出すことができるようになる。このようにして、一時保留部２９で一時的に保留された紙幣が、釣銭用や従業員の賃金用等の返却すべき準備貨幣として、紙幣処理装置２０の外部に返却される。
【００９３】
なお、紙幣投入口２１にある紙幣が全て紙幣処理装置２０の内部に投入されても、一時保留部２９に送られた紙幣の合計金額が、制御部１５において設定されている返却すべき準備貨幣の合計金額に達しなかったときに、すなわち、一時保留部２９に送られた千円札および五千円札の合計金額が、１２，０００円未満であったときに、制御部１５は、一時保留部２９にある準備貨幣の合計金額または不足金額を表示部４４において表示させるよう制御を行う。より具体的には、紙幣投入口２１にある紙幣が全て紙幣処理装置２０の内部に投入されたときに、一時保留部２９に送られた千円札および五千円札の合計金額が１０，０００円である場合には、「一時保留部にある紙幣の合計金額は１０，０００円である」旨の表示、または「不足金額は２，０００円である」旨の表示が表示部４４で行われる。
【００９４】
また、一時保留部２９に送られた紙幣の合計金額が、制御部１５において設定されている返却すべき準備貨幣の合計金額に達したときに、または紙幣投入口２１にある紙幣が全て紙幣処理装置２０の内部に投入されたときに、紙幣リジェクト口２２に設けられたカバーが開き、操作者は紙幣リジェクト口２２に送られた紙幣を取り出すことができるようになる。その後、操作者は、紙幣リジェクト口２２から取り出した紙幣を、入金紙幣（引渡紙幣）として再び紙幣投入口２１に投入する。紙幣投入口２１に投入された紙幣は１枚ずつ搬送部２５により搬送され、識別部２６において紙幣の識別が行われる。識別部２６により正常な紙幣であると識別された紙幣は搬送部２５により一時保留部２９に送られる。一方、識別部２６により偽札等のリジェクト紙幣であると識別された紙幣や、識別部２６により識別することができなかった紙幣は、搬送部２５により紙幣リジェクト口２２に送られる。
【００９５】
再び紙幣投入口２１に投入された紙幣が全て一時保留部２９または紙幣リジェクト口２２に送られると、制御部１５は、表示部４４において入金処理の確定を行うか否かのメッセージを表示させ、操作者に対して入金処理の確定の入力を要求する。そして、操作者が操作部４５の「確定キー」を押した場合には、一時保留部２９にある紙幣を紙幣収納カセット４１ａ、４１ｂに収納させる。このようにして、店舗側から収集業者等の収集特定者側に紙幣が引き渡される。
【００９６】
以上においては紙幣処理装置２０の動作について説明したが、次に硬貨処理装置３０の動作について説明する。前述のように、制御部１５において、釣銭用の準備貨幣のうち硬貨の合計金額が、１，０００円であることが設定されている。
【００９７】
店舗の売上金等の貨幣のうち硬貨を操作者が硬貨処理装置３０の硬貨投入口３１に投入したときには、硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。
【００９８】
ここで、識別部３５ａにより識別された硬貨の金種が返却すべき準備貨幣の所定の金種、すなわち例えば１０円硬貨である場合には、返却すべき準備貨幣の設定された合計金額（すなわち、１，０００円）から一時保留部３７にある硬貨の合計金額を減算した金額よりも、この識別された硬貨の金額（すなわち、１０円）が小さいか同じであるときに、この硬貨は分岐部材３５ｂにより搬送部３５の搬送通路から分岐され、シュート３５ｃを介して一時保留部３７に送られる。すなわち、一時保留部３７にある硬貨の合計金額が９９０円以下である場合には、識別部３５ａにより識別された硬貨が１０円硬貨であるときにはこの硬貨は一時保留部３７に送られることとなる。一方、返却すべき準備貨幣の設定された合計金額から一時保留部３７にある硬貨の合計金額を減算した金額よりも、識別部３５ａにより識別された硬貨の金額が大きい場合には、この硬貨は搬送部３５の搬送通路から分岐させられることなく、そのまま硬貨返却ボックス３３ａに送られる。
【００９９】
また、識別部３５ａにより識別された硬貨の金種が返却すべき準備貨幣の所定の金種でない場合には、すなわち例えば１円硬貨、５円硬貨、５０円硬貨または５００円硬貨である場合には、この硬貨は搬送部３５の搬送通路から分岐させられることなく、そのまま硬貨返却ボックス３３ａに送られる。また、識別部３５ａにより識別不能な硬貨等のリジェクト硬貨であると識別された硬貨も、搬送部３５の搬送通路から分岐させられることなく、そのまま硬貨返却ボックス３３ａに送られる。
【０１００】
その後、一時保留部３７に送られた紙幣の合計金額が、制御部１５において設定されている返却すべき準備貨幣の合計金額に達したときに、すなわち、一時保留部３７に送られた１０円硬貨および１００円硬貨の合計金額が１，０００円となったときに、搬送部３５による硬貨の搬送が停止させられる。この際に、貯留繰出部３４から搬送部３５への硬貨の繰り出しも停止させられる。また、この際に、一時保留部３７に一時的に保留された硬貨の金種、合計金額、および属性（具体的には、釣銭用、または従業員の賃金用等の準備貨幣の用途）が記憶部４７に記憶される。
【０１０１】
そして、操作者は、硬貨返却口３３から硬貨返却ボックス３３ａを引き出すことにより、硬貨返却ボックス３３ａ内の硬貨を取り出すことができる。この最初に取り出された硬貨は、後述するように、操作者により再び硬貨投入口３１に投入される。
【０１０２】
その後、硬貨返却ボックス３３ａが空になったら、一時保留部３７が第１の収納位置ａから返却位置ｃに移動する。このことにより、一時保留部３７の底面が開き、この一時保留部３７にある硬貨は硬貨返却ボックス３３ａに落下する。そして、操作者は、硬貨返却口３３から硬貨返却ボックス３３ａを引き出すことにより、硬貨返却ボックス３３ａ内の硬貨を取り出すことができる。操作者により硬貨返却ボックス３３ａから２回目に取り出された硬貨は、釣銭用や従業員の賃金用等の返却すべき準備貨幣となる。
【０１０３】
なお、硬貨投入口３１にある硬貨が全て硬貨処理装置３０の内部に投入され、貯留繰出部３４から搬送部３５に繰り出されたとしても、一時保留部３７に送られた硬貨の合計金額が、制御部１５において設定されている返却すべき準備貨幣の合計金額に達しなかったときに、すなわち、一時保留部３７に送られた１０円硬貨および１００円硬貨の合計金額が、１，０００円未満であったときに、制御部１５は、表示部４４に、一時保留部３７にある準備貨幣の合計金額または不足金額を表示させるよう制御を行う。より具体的には、硬貨投入口３１にある硬貨が全て硬貨処理装置３０の内部に投入され、貯留繰出部３４から搬送部３５に繰り出されたときに、一時保留部３７に送られた１０円硬貨および１００円硬貨の合計金額が８００円である場合には、「一時保留部にある硬貨の合計金額は８００円である」旨の表示、または「不足金額は２００円である」旨の表示が表示部４４で行われる。
【０１０４】
その後、操作者は、１回目に硬貨返却ボックス３３ａから取り出した硬貨を、入金硬貨（引渡硬貨）として再び硬貨投入口３１に投入する。硬貨投入口３１に投入された硬貨はまず貯留繰出部３４に送られ、この貯留繰出部３４から硬貨が１枚ずつ搬送部３５に繰り出される。この際に、一時保留部３７は第１の収納位置ａに位置しており、底板３７ａは第１の位置ｍに位置している。搬送部３５に繰り出された硬貨は識別部３５ａにおいて識別が行われる。
【０１０５】
識別部３５ａにより正常な硬貨であると識別された硬貨は、分岐部材３５ｂにより搬送部３５の搬送通路から分岐され、シュート３５ｃを介して一時保留部３７に送られる。一方、識別部３５ａにより識別不能な硬貨等のリジェクト硬貨であると識別された硬貨は、搬送部３５の搬送通路から分岐させられることなく、そのまま硬貨返却ボックス３３ａに送られる。
【０１０６】
再び硬貨投入口３１に投入された硬貨が全て一時保留部３７または硬貨返却ボックス３３ａに送られると、制御部１５は、表示部４４において入金処理の確定を行うか否かのメッセージを表示させ、操作者に対して入金処理の確定の入力を要求する。そして、操作者が操作部４５の「確定キー」を押した場合には、一時保留部の駆動機構３７ｂまたは底板の駆動機構３７ｆによって一時保留部３７または底板３７ａが移動させられることにより、一時保留部３７にある硬貨を硬貨収納カセット４２ａ、４２ｂに収納させる。このようにして、店舗側から収集業者等の収集特定者側に硬貨が引き渡される。
【０１０７】
上述のような貨幣処理機１０によれば、制御部１５において返却すべき貨幣である準備貨幣の所定の金種および合計金額が設定されており、紙幣投入口２１や硬貨投入口３１より筐体１１の内部に投入され識別部２６、３５ａにより識別された紙幣や硬貨の金種が返却すべき準備貨幣の設定された所定の金種である場合には、前述の返却すべき準備貨幣の設定された合計金額から一時保留部２９、３７にある紙幣や硬貨の合計金額を減算した金額よりも、識別された紙幣や硬貨の金額が小さいか同じであるときにこの紙幣や硬貨を一時保留部２９、３７に搬送するとともに識別された紙幣や硬貨の金額が大きいときにこの紙幣や硬貨を紙幣リジェクト口２２や硬貨返却口３３に送る。一方、識別部２６、３５ａにより識別された紙幣や硬貨の金種が返却すべき準備貨幣の設定された所定の金種でない場合には当該紙幣や硬貨を紙幣リジェクト口２２や硬貨返却口３３に送る。その後、一時保留部２９、３７に送られてこの一時保留部２９、３７で一時的に保留された紙幣や硬貨を準備貨幣として筐体１１の外部に返却するようになっている。
【０１０８】
このように、紙幣処理装置２０や硬貨処理装置３０の一時保留部２９、３７には、制御部１５に設定された返却すべき準備貨幣の所定の金種および合計金額と同じ金種および合計金額の紙幣や硬貨が一時的に保留され、この一時保留部２９、３７に一時的に保留された紙幣や硬貨が準備貨幣として筐体１１の外部に返却される。このため、貨幣処理機１０は、紙幣や硬貨の出金機能を有さずとも、筐体１１の内部に投入された紙幣や硬貨の計数を識別部２６、３５ａで行うとともに、当該投入された紙幣や硬貨のうち設定された所定の金種および合計金額の紙幣や硬貨を準備貨幣として筐体１１の外部に戻すことができる。
【０１０９】
また、本実施の形態の貨幣処理機１０においては、一時保留部２９、３７に送られた紙幣や硬貨の合計金額が、制御部１５において設定されている返却すべき準備貨幣の合計金額に達したときに、搬送部２５、３５による紙幣や硬貨の搬送を停止させるよう制御部１５は制御を行うようになっている。なお、本実施の形態の貨幣処理機１０においては、一時保留部２９、３７に送られた紙幣や硬貨の合計金額が、制御部１５において設定されている返却すべき準備貨幣の合計金額に達した後、紙幣投入口２１や硬貨投入口３１に投入された紙幣や硬貨の搬送を行うよう制御部１５は制御を行うようになっていてもよい。
【０１１０】
また、本実施の形態の貨幣処理機１０においては、紙幣投入口２１や硬貨投入口３１より投入された全ての紙幣や硬貨の識別後、一時保留部２９、３７に送られた紙幣や硬貨の合計金額が、制御部１５において設定されている返却すべき準備貨幣の合計金額に達しなかったときに、表示部４４に、一時保留部２９、３７における貨幣の合計金額または不足金額を表示させるよう制御部１５は制御を行うようになっていてもよい。
【０１１１】
以下、本発明に関連する貨幣処理機の例について説明する。図５は、本発明に関連する貨幣処理機における紙幣処理装置の構成の概略を示す概略構成図である。
【０１１２】
図５に示す貨幣処理機の紙幣処理装置２０ａは、図２に示す紙幣処理装置２０と比較して、紙幣返却口や一時保留部が設けられておらず、代わりに釣銭スタッカー２７が設けられた点が異なるのみであり、他の構成は図２に示す紙幣処理装置２０と実質的に同一となっている。釣銭スタッカー２７は搬送部２５に接続されており、筐体１１の外部に返却されるべき準備貨幣（すなわち、釣銭用や従業員の賃金用等の紙幣）が搬送部２５から釣銭スタッカー２７に送られるようになっている。また、釣銭スタッカー２７は筐体１１の外部からアクセス可能となっており、操作者は釣銭スタッカー２７に集積された紙幣を準備貨幣として取り出すことができるようになっている。
【０１１３】
以下、図５に示す紙幣処理装置２０ａに関して、筐体１１の外部から内部に取り込まれた紙幣を貨幣収納部４０に収納するような、紙幣の入金処理の一例について以下に説明する。
【０１１４】
まず、操作者は、釣銭用や従業員の賃金用等の返却すべき準備貨幣について、操作部４５により、準備貨幣の金種およびその金種毎の枚数、または準備貨幣の金種および合計金額を入力する。これらの入力内容は制御部１５に設定される。そして、店舗の売上金等の貨幣のうち紙幣を操作者が紙幣処理装置２０ａの紙幣投入口２１に投入したときには、紙幣投入口２１に投入された紙幣は１枚ずつ搬送部２５により搬送され、識別部２６において紙幣の識別が行われる。
【０１１５】
ここで、制御部１５において準備貨幣の金種およびその金種毎の枚数が設定されている場合において、識別部２６により識別された紙幣の金種が返却すべき準備貨幣の所定の金種である場合には、この紙幣の金種に関して返却すべき準備貨幣の設定された枚数に達していない紙幣は搬送部２５により釣銭スタッカー２７に送られる。一方、識別部２６により識別された紙幣の金種に関して返却すべき準備貨幣の設定された枚数に達している紙幣は搬送部２５により紙幣リジェクト口２２に送られる。
【０１１６】
また、制御部１５において準備貨幣の金種および合計金額が設定されている場合において、識別部２６により識別された紙幣の金種が返却すべき準備貨幣の所定の金種である場合には、返却すべき準備貨幣の設定された合計金額から釣銭スタッカー２７にある紙幣の合計金額を減算した金額よりも、この識別された紙幣の金額が小さいか同じであるときに、この紙幣は搬送部２５により釣銭スタッカー２７に送られる。一方、返却すべき準備貨幣の設定された合計金額から釣銭スタッカー２７にある紙幣の合計金額を減算した金額よりも、識別部２６により識別された紙幣の金額が大きい場合には、この紙幣は搬送部２５により紙幣リジェクト口２２に送られる。
【０１１７】
また、識別部２６により識別された紙幣の金種が返却すべき準備貨幣の所定の金種でない場合には、この紙幣は搬送部２５により紙幣リジェクト口２２に送られる。また、識別部２６により偽札等のリジェクト紙幣であると識別された紙幣や、識別部２６により識別することができなかった紙幣も、搬送部２５により紙幣リジェクト口２２に送られる。
【０１１８】
その後、釣銭スタッカー２７に送られた紙幣の金種毎の枚数が、制御部１５において設定されている返却すべき準備貨幣の所定の金種毎の枚数にそれぞれ達したときに、あるいは、釣銭スタッカー２７に送られた紙幣の合計金額が、制御部１５において設定されている返却すべき準備貨幣の合計金額に達したときに、搬送部２５による紙幣の搬送が停止させられる。この際に、紙幣投入口２１から紙幣処理装置２０ａの内部への紙幣の投入も停止させられる。また、この際に、釣銭スタッカー２７に集積された紙幣の金種、金種毎の枚数または合計金額、および属性（具体的には、釣銭用、または従業員の賃金用等の準備貨幣の用途）が記憶部４７に記憶される。そして、釣銭スタッカー２７のカバーが自動的に開くことにより操作者は釣銭スタッカー２７から紙幣を取り出すことができるようになる。このようにして、釣銭スタッカー２７に集積された紙幣が、釣銭用や従業員の賃金用等の返却すべき準備貨幣として、紙幣処理装置２０ａの外部に返却される。
【０１１９】
また、釣銭スタッカー２７に送られた紙幣の金種毎の枚数または合計金額が、制御部１５において設定されている返却すべき準備貨幣の所定の金種毎の枚数または合計金額にそれぞれ達したときに、紙幣リジェクト口２２に設けられたカバーが開き、操作者は紙幣リジェクト口２２に送られた紙幣を取り出すことができるようになる。その後、操作者は、紙幣リジェクト口２２から取り出した紙幣を、入金紙幣（引渡紙幣）として再び紙幣投入口２１に投入する。紙幣投入口２１に投入された紙幣は１枚ずつ搬送部２５により搬送され、識別部２６において紙幣の識別が行われる。識別部２６により正常な紙幣であると識別された紙幣は搬送部２５により直接的に紙幣収納カセット４１ａ、４１ｂに送られる。このようにして、店舗側から収集業者等の収集特定者側に紙幣が引き渡される。一方、識別部２６により偽札等のリジェクト紙幣であると識別された紙幣や、識別部２６により識別することができなかった紙幣は、搬送部２５により紙幣リジェクト口２２に送られる。
【０１２０】
以上のように図５に示す貨幣処理機１０の紙幣処理装置２０ａによれば、制御部１５において返却すべき準備貨幣の所定の金種ならびにその金種毎の枚数、または返却すべき準備貨幣の所定の金種および合計金額が設定されている。制御部１５において返却すべき準備貨幣の所定の金種およびその金種毎の枚数が設定されている場合において、紙幣投入口２１より筐体１１の内部に投入され識別部２６により識別された紙幣の金種が返却すべき準備貨幣の設定された所定の金種である場合には、当該紙幣の金種に関して前述の返却すべき準備貨幣の設定された枚数に達していない紙幣を釣銭スタッカー２７に搬送するとともに返却すべき準備貨幣の設定された枚数に達している紙幣を紙幣リジェクト口２２に送る。また、制御部１５において返却すべき準備貨幣の所定の金種および合計金額が設定されている場合において、紙幣投入口２１より筐体１１の内部に投入され識別部２６により識別された紙幣の金種が返却すべき準備貨幣の設定された所定の金種である場合には、前述の返却すべき準備貨幣の設定された合計金額から釣銭スタッカー２７にある紙幣の合計金額を減算した金額よりも、識別された紙幣の金額が小さいか同じであるときにこの紙幣を釣銭スタッカー２７に搬送するとともに識別された紙幣の金額が大きいときにこの紙幣を紙幣リジェクト口２２に送る。一方、識別部２６により識別された紙幣の金種が返却すべき準備貨幣の設定された所定の金種でない場合には当該紙幣を紙幣リジェクト口２２に送る。その後、釣銭スタッカー２７に送られてこの釣銭スタッカー２７で集積された紙幣を準備貨幣として筐体１１の外部に返却するようになっている。
【０１２１】
このように、紙幣処理装置２０ａの釣銭スタッカー２７には、制御部１５に設定された返却すべき準備貨幣の所定の金種およびその金種毎の枚数と同じ金種および金種毎の枚数の紙幣が集積され、この釣銭スタッカー２７に集積された紙幣が準備貨幣として筐体１１の外部に返却される。このため、紙幣処理装置２０ａは、紙幣の出金機能を有さずとも、筐体１１の内部に投入された紙幣の計数を識別部２６で行うとともに、当該投入された紙幣のうち設定された所定の金種ならびにその金種毎の枚数または合計金額の紙幣を準備貨幣として筐体１１の外部に戻すことができる。
【０１２２】
以下、本発明に関連する貨幣処理機の他の例について説明する。図６および図７は、本発明に関連する貨幣処理機における紙幣処理装置の他の構成の概略を示す概略構成図である。このうち、図６は、紙幣処理装置の他の構成の概略を示す斜視図であり、図７は、図６に示す紙幣処理装置の構成の概略を示す概略構成図である。
【０１２３】
図６および図７に示す紙幣処理装置６０は、筐体６０ａと、複数の紙幣を積層状態で載置するための例えばホッパからなる紙幣投入口６１とを備えており、紙幣投入口６１には、筐体６０ａの外部から内部に紙幣を繰り出すための例えば繰出ローラ等からなる繰出機構６１ａが設けられている。また、筐体６０ａの内部には、紙幣の搬送を行う搬送部６２が設けられている。紙幣投入口６１には複数の紙幣が積層状態で載置され、この載置された紙幣が１枚ずつ繰出機構６１ａにより搬送部６２に繰り出されるようになっている。また、搬送部６２には識別部６３が設けられており、この識別部６３は、搬送部６２で搬送中の紙幣の金種等の識別を行うようになっている。
【０１２４】
また、搬送部６２にはリジェクト部６４が接続されており、識別部６３によりリジェクト紙幣であると識別された紙幣や識別部６３により識別することができなかった紙幣はリジェクト部６４に送られるようになっている。このリジェクト部６４に送られたリジェクト紙幣は筐体６０ａの外部から取り出し可能となっている。
【０１２５】
また、紙幣処理装置６０の筐体６０ａの下部には複数、例えば４つのスタッカー７１、７２、７３、７４が並列に設けられており、識別部６３により正常な紙幣であると識別された紙幣は搬送部６２により４つのスタッカー７１、７２、７３、７４のうちいずれか一つのスタッカーに送られるようになっている。各スタッカー７１、７２、７３、７４に送られた紙幣はそれぞれ筐体６０ａの外部から取り出し可能となっている。
【０１２６】
ここで、４つのスタッカー７１、７２、７３、７４のうち、ある一つのスタッカー（準備貨幣用スタッカー）７１には、釣銭用や従業員の賃金用等の返却すべき準備貨幣に係る紙幣が送られるようになっている。一方、他のスタッカー（収納用スタッカー）７２、７３、７４には、返却すべき準備貨幣以外の紙幣が金種別に送られるようになっている。
【０１２７】
また、紙幣処理装置６０には、当該紙幣処理装置６０の各構成要件の制御を行う制御部７５が設けられている。また、筐体６０ａの前面には、操作者が制御部７５に対して様々な指令を行うための操作部７６が設けられている。
【０１２８】
以下、図６および図７に示す紙幣処理装置６０に関して、筐体６０ａの外部から内部に取り込まれた紙幣を各スタッカー７１、７２、７３、７４に収納するような、紙幣の入金処理の一例について以下に説明する。
【０１２９】
まず、操作者は、釣銭用や従業員の賃金用等の返却すべき準備貨幣について、操作部７６により、準備貨幣の金種およびその金種毎の枚数、または準備貨幣の金種および合計金額を入力する。これらの入力内容は制御部７５に設定される。そして、店舗の売上金等の貨幣のうち紙幣を操作者が紙幣処理装置６０の紙幣投入口６１に投入したときには、紙幣投入口６１に投入された紙幣は１枚ずつ搬送部６２により搬送され、識別部６３において紙幣の識別が行われる。
【０１３０】
ここで、制御部７５において準備貨幣の金種およびその金種毎の枚数が設定されている場合において、識別部６３により識別された紙幣の金種が返却すべき準備貨幣の所定の金種である場合には、この紙幣の金種に関して返却すべき準備貨幣の設定された枚数に達していない紙幣は搬送部６２によりスタッカー７１に送られる。一方、識別部６３により識別された紙幣の金種に関して返却すべき準備貨幣の設定された枚数に達している紙幣は搬送部６２によりスタッカー７２、７３、７４に金種別に送られる。
【０１３１】
また、制御部７５において準備貨幣の金種および合計金額が設定されている場合において、識別部６３により識別された紙幣の金種が返却すべき準備貨幣の所定の金種である場合には、返却すべき準備貨幣の設定された合計金額からスタッカー７１にある紙幣の合計金額を減算した金額よりも、この識別された紙幣の金額が小さいか同じであるときに、この紙幣は搬送部６２によりスタッカー７１に送られる。一方、返却すべき準備貨幣の設定された合計金額からスタッカー７１にある紙幣の合計金額を減算した金額よりも、識別部６３により識別された紙幣の金額が大きい場合には、この紙幣は搬送部６２によりスタッカー７２、７３、７４に金種別に送られる。
【０１３２】
また、識別部６３により識別された紙幣の金種が返却すべき準備貨幣の所定の金種でない場合には、この紙幣は搬送部６２によりスタッカー７２、７３、７４に金種別に送られる。また、識別部６３により偽札等のリジェクト紙幣であると識別された紙幣や、識別部６３により識別することができなかった紙幣は、搬送部６２によりリジェクト部６４に送られる。
【０１３３】
そして、スタッカー７１に送られた紙幣の金種毎の枚数が、制御部７５において設定されている返却すべき準備貨幣の所定の金種毎の枚数にそれぞれ達したときに、あるいは、スタッカー７１に送られた紙幣の合計金額が、制御部７５において設定されている返却すべき準備貨幣の合計金額に達した後に、操作者はスタッカー７１から紙幣を取り出す。このようにして、スタッカー７１に集積された紙幣が、釣銭用や従業員の賃金用等の返却すべき準備貨幣として、紙幣処理装置６０の外部に返却される。
【０１３４】
以上のように図６および図７に示す紙幣処理装置６０によれば、制御部７５において返却すべき準備貨幣の所定の金種およびその金種毎の枚数、または返却すべき準備貨幣の所定の金種および合計金額が設定されている。制御部７５において返却すべき準備貨幣の所定の金種およびその金種毎の枚数が設定されている場合において、紙幣投入口６１より筐体６０ａの内部に投入され識別部６３により識別された紙幣の金種が返却すべき準備貨幣の設定された所定の金種である場合には、当該紙幣の金種に関して前述の返却すべき準備貨幣の設定された枚数に達していない紙幣をスタッカー（準備貨幣用スタッカー）７１に搬送するとともに返却すべき準備貨幣の設定された枚数に達している紙幣をスタッカー（収納用スタッカー）７２、７３、７４に金種別に送る。また、制御部７５において返却すべき準備貨幣の所定の金種および合計金額が設定されている場合において、紙幣投入口６１より筐体６０ａの内部に投入され識別部６３により識別された紙幣の金種が返却すべき準備貨幣の設定された所定の金種である場合には、前述の返却すべき準備貨幣の設定された合計金額からスタッカー７１にある紙幣の合計金額を減算した金額よりも、識別された紙幣の金額が小さいか同じであるときにこの紙幣をスタッカー７１に搬送するとともに識別された紙幣の金額が大きいときにこの紙幣をスタッカー７２、７３、７４に金種別に送る。また、識別部６３により識別された紙幣の金種が返却すべき準備貨幣の設定された所定の金種でない場合には当該紙幣をスタッカー７２、７３、７４に金種別に送る。その後、スタッカー７１に送られてこのスタッカー７１で一時的に保留された紙幣を準備貨幣として筐体６０ａの外部に返却するようになっている。
【０１３５】
このように、紙幣処理装置６０のスタッカー７１には、制御部７５に設定された返却すべき準備貨幣の所定の金種ならびにその金種毎の枚数または合計金額と同じ金種ならびに金種毎の枚数または合計金額の紙幣が集積され、このスタッカー７１に集積された紙幣が筐体６０ａの外部に準備貨幣として返却される。このため、紙幣処理装置６０は、紙幣の出金機能を有さずとも、筐体６０ａの内部に投入された紙幣の計数を識別部６３で行うとともに、当該投入された紙幣のうち設定された所定の金種ならびにその金種毎の枚数または合計金額の紙幣を準備貨幣として筐体６０ａの外部に戻すことができる。
【符号の説明】
【０１３６】
１０  貨幣処理機
１１  筐体
１５  制御部
１６  インターフェース
２０  紙幣処理装置
２１  紙幣投入口
２２  紙幣リジェクト口
２３  紙幣返却口
２４  扉
２５  搬送部
２６  識別部
２７  釣銭スタッカー
２８  紙幣返却口カバー
２９  一時保留部
３０  硬貨処理装置
３１  硬貨投入口
３１ａ  硬貨投入口カバー
３３  硬貨返却口
３３ａ  硬貨返却ボックス
３４  貯留繰出部
３５  搬送部
３５ａ  識別部
３５ｂ  分岐部材
３５ｃ  シュート
３７  一時保留部
３７ａ  底板
３７ｂ  一時保留部の駆動機構
３７ｃ  一時保留部の位置検知手段
３７ｄ  硬貨収納シュート
３７ｅ  硬貨収納シュート
３７ｆ  底板の駆動機構
３７ｇ  底板の位置検知手段
４０  貨幣収納部
４１ａ、４１ｂ  紙幣収納カセット
４１ｃ、４１ｄ  規制ユニット
４２ａ、４２ｂ  硬貨収納カセット
４２ｃ、４２ｄ  規制ユニット
４３  プリンタ
４４  表示部
４５  操作部
４６  カードリーダ
４７  記憶部
６０  紙幣処理装置
６０ａ  筐体
６１  紙幣投入口
６１ａ  繰出機構
６２  搬送部
６３  識別部
６４  リジェクト部
７１  スタッカー（準備貨幣用スタッカー）
７２、７３、７４  スタッカー（収納用スタッカー）
７５  制御部
７６  操作部
【図１】
2010224805.tif 000003
【図２】
2010224805.tif 000004
【図３】
2010224805.tif 000005
【図４】
2010224805.tif 000006
【図５】
2010224805.tif 000007
【図６】
2010224805.tif 000008
【図７】
2010224805.tif 000009